(57)【要約】本発明が提供する懸賞を行うネットワークサービスシステムは、複数のベンダー端末、ターミナルサービスプラットフォーム及び複数の消費者端末を含む。前記複数のベンダー端末は、ステータス識別データをそれぞれ有する。前記ターミナルサービスプラットフォームは、記憶ユニット、処理ユニット及び実行端末を含み、前記記憶ユニット、前記処理ユニット及び前記実行端末が互いに接続される。前記記憶ユニットには、各前記ベンダー端末の前記ステータス識別データが記憶され、各前記ベンダー端末がその前記ステータス識別データ及びサービス要求を前記ターミナルサービスプラットフォームへ送信すると、前記処理ユニットは、前記ステータス識別データに基づいて前記サービス要求及び複数の認証情報を前記記憶ユニットに記憶し、前記サービス要求、前記複数の認証情報及び前記ステータス識別データが互いに対応し、前記複数の認証情報は、少なくとも１つの当選情報を含み、各前記認証情報は、物品に製作され、被認証の認証情報を形成する。前記複数の消費者端末は、各前記消費者端末が前記被認証の認証情報のうちの一つを前記ターミナルサービスプラットフォームへ送信すると、前記処理ユニットは、前記被認証の認証情報と、前記記憶ユニット中の認証情報とを比べ、対応した認証結果を前記記憶ユニットに記憶し、前記実行端末は、前記認証結果に基づいて前記消費者端末へフィードバックする。【選択図】図２
2017504124.tif 000002
【特許請求の範囲】
【請求項１】
複数のベンダー端末、ターミナルサービスプラットフォーム及び複数の消費者端末を含み、
前記複数のベンダー端末は、ステータス識別データをそれぞれ有し、
前記ターミナルサービスプラットフォームは、記憶ユニット、処理ユニット及び実行端末を含み、前記記憶ユニット、前記処理ユニット及び前記実行端末が互いに接続され、前記記憶ユニットには、各前記ベンダー端末の前記ステータス識別データが記憶され、各前記ベンダー端末がその前記ステータス識別データ及びサービス要求を前記ターミナルサービスプラットフォームへ送信すると、前記処理ユニットは、前記ステータス識別データに基づいて前記サービス要求及び複数の認証情報を前記記憶ユニットに記憶し、前記サービス要求、前記複数の認証情報及び前記ステータス識別データが互いに対応し、前記複数の認証情報は、少なくとも１つの当選情報を含み、各前記認証情報は、物品に製作され、被認証の認証情報を形成し、
前記複数の消費者端末は、各前記消費者端末が前記被認証の認証情報のうちの一つを前記ターミナルサービスプラットフォームへ送信すると、前記処理ユニットは、前記被認証の認証情報と、前記記憶ユニット中の認証情報とを比べ、対応した認証結果を前記記憶ユニットに記憶し、前記実行端末は、前記認証結果に基づいて前記消費者端末へフィードバックする、ことを特徴とする、
懸賞を行うネットワークサービスシステム。
【請求項２】
前記ベンダー端末は、前記ターミナルサービスプラットフォームを介し、前記記憶ユニット中に記憶され、それに対応した前記複数の認証情報を得て、各前記認証情報を物品の表面に印刷する、ことを特徴とする請求項１に記載の懸賞を行うネットワークサービスシステム。
【請求項３】
前記実行端末は、前記記憶ユニット中の認証情報に基づき、各前記認証情報を前記物品の表面に印刷する、ことを特徴とする請求項１に記載の懸賞を行うネットワークサービスシステム。
【請求項４】
前記各消費者端末が前記被認証の認証情報を前記ターミナルサービスプラットフォームへ送信すると、前記処理ユニットは、前記被認証の認証情報と、前記認証情報の当選情報とを比べ、前記被認証の認証情報と前記当選情報とが一致する場合、前記消費者端末は、前記ターミナルサービスプラットフォームへ消費者情報を送信し、前記処理ユニットは、前記記憶ユニットに消費者情報を記憶し、前記実行端末は、認証結果に基づき、前記消費者端末へ前記消費者情報をフィードバックする、ことを特徴とする請求項１に記載の懸賞を行うネットワークサービスシステム。
【請求項５】
情報送信モジュールをさらに含み、前記情報送信モジュールは、前記記憶ユニットと通信し、前記情報送信モジュールは、前記記憶ユニットの前記消費者情報に基づき、前記消費者端末へマーケティング情報を送信する、ことを特徴とする請求項４に記載の懸賞を行うネットワークサービスシステム。
【請求項６】
複数のベンダー端末、ターミナルサービスプラットフォーム及び複数の消費者端末を含み、
前記複数のベンダー端末は、ステータス識別データと、前記ステータス識別データに対応した出資情報と、をそれぞれ有し、
前記ターミナルサービスプラットフォームは、記憶ユニット、処理ユニット及び実行端末を含み、前記記憶ユニット、前記処理ユニット及び前記実行端末が互いに接続され、前記記憶ユニットには、各前記ベンダー端末の前記ステータス識別データ、前記出資情報及び前記複数の認証情報が記憶され、前記複数の認証情報は、複数の当選情報を含み、前記処理ユニットは、各前記ベンダー端末の前記出資情報に基づき、前記認証情報中の前記当選情報の比率を各前記ベンダー端末へ分配し、各前記認証情報は、物品に製作して被認証の認証情報が形成され、
前記複数の消費者端末は、前記被認証の認証情報のうちの一つを前記ターミナルサービスプラットフォームへ送信すると、前記処理ユニットは、前記被認証の認証情報と、前記記憶ユニット中の前記認証情報とを比べ、対応した認証結果を前記記憶ユニットに記憶し、前記実行端末は、前記認証結果に基づいて前記消費者端末へフィードバックする、ことを特徴とする、
懸賞を行うネットワークサービスシステム。
【請求項７】
前記ベンダー端末は、前記ターミナルサービスプラットフォームを介し、前記記憶ユニット中に記憶されてそれに対応した前記複数の認証情報を得て、各前記認証情報が前記物品の表面に印刷される、ことを特徴とする請求項６に記載の懸賞を行うネットワークサービスシステム。
【請求項８】
前記実行端末は、前記記憶ユニット中の認証情報に基づき、各前記認証情報を前記物品の表面に印刷する、ことを特徴とする請求項６に記載の懸賞を行うネットワークサービスシステム。
【請求項９】
前記各消費者端末が前記被認証の認証情報を前記ターミナルサービスプラットフォームへ送信すると、前記処理ユニットは、前記被認証の認証情報と、前記認証情報の当選情報及び落選情報とを比べ、もし前記被認証の認証情報と前記当選情報とが一致する場合、前記消費者端末は、消費者情報を前記ターミナルサービスプラットフォームへ送信し、前記処理ユニットは、前記消費者情報を前記記憶ユニットに記憶し、前記実行端末は、前記認証結果に基づき、前記消費者情報を前記消費者端末へフィードバックする、ことを特徴とする請求項６に記載の懸賞を行うネットワークサービスシステム。
【発明の詳細な説明】
【技術分野】
【０００１】
本発明は、ネットワークサービスシステムに関し、特に、懸賞を行うネットワークサービスシステムに関する。
【背景技術】
【０００２】
ネットワーク技術の普及に伴い、現代社会の多くの人は、ネットワークプラットフォームのサービスを介して様々な消費活動を行っている。利便性及びコストを考慮し、メーカーの多くは、費用を節約するために抽選・景品交換のプラットフォームをネットワーク上に次々と開設し、徐々に物理的な抽選会を代替している。
【０００３】
一般に、各メーカーは通常、必要に応じて様々な抽選会のプラットフォームを設けるが、各プラットフォームは景品交換方式、操作モードがそれぞれ異なるため、消費者が複数のメーカーの抽選会に参加する場合、各活動プラットフォームにおいて抽選会に参加し、消費者は各認証ステップを繰り返して行わなければならない。このため、時間がかかる上、混乱し易く、消費者の抽選に対する意欲が低下し、メーカーも抽選会によりマーケティング効果を得ることはできなかった。
【０００４】
以上に鑑み、当業者はネットワークプラットフォームを効果的に利用し、簡便な抽選会のサービスシステムを提供することに力を注いでいた。
【発明の概要】
【発明が解決しようとする課題】
【０００５】
本発明の主な目的は、複数のベンダー端末が統一したプラットフォームで懸賞を行えるようにし、抽選会を行うのに必要な労力、物力、時間、金銭を節約することができる、懸賞を行うネットワークサービスシステムを提供することにある。
【課題を解決するための手段】
【０００６】
上述の目的を達成するために、本発明が提供する懸賞を行うネットワークサービスシステムは、複数のベンダー端末、ターミナルサービスプラットフォーム及び複数の消費者端末を含み、前記複数のベンダー端末は、ステータス識別データをそれぞれ有し、前記ターミナルサービスプラットフォームは、記憶ユニット、処理ユニット及び実行端末を含み、前記記憶ユニット、前記処理ユニット及び前記実行端末が互いに接続され、前記記憶ユニットには、各前記ベンダー端末の前記ステータス識別データが記憶され、各前記ベンダー端末がその前記ステータス識別データ及びサービス要求を前記ターミナルサービスプラットフォームへ送信すると、前記処理ユニットは、前記ステータス識別データに基づいて前記サービス要求及び複数の認証情報を前記記憶ユニットに記憶し、前記サービス要求、前記複数の認証情報及び前記ステータス識別データが互いに対応し、前記複数の認証情報は、少なくとも１つの当選情報を含み、各前記認証情報は、物品に製作され、被認証の認証情報を形成し、前記複数の消費者端末は、各前記消費者端末が前記被認証の認証情報のうちの一つを前記ターミナルサービスプラットフォームへ送信すると、前記処理ユニットは、前記被認証の認証情報と、前記記憶ユニット中の認証情報とを比べ、対応した認証結果を前記記憶ユニットに記憶し、前記実行端末は、前記認証結果に基づいて前記消費者端末へフィードバックする、ことを特徴とする懸賞を行うネットワークサービスシステム。
【０００７】
本発明がさらに提供する懸賞を行うネットワークサービスシステムは、複数のベンダー端末、ターミナルサービスプラットフォーム及び複数の消費者端末を含み、前記複数のベンダー端末は、ステータス識別データと、前記ステータス識別データに対応した出資情報と、をそれぞれ有し、前記ターミナルサービスプラットフォームは、記憶ユニット、処理ユニット及び実行端末を含み、前記記憶ユニット、前記処理ユニット及び前記実行端末が互いに接続され、前記記憶ユニットには、各前記ベンダー端末の前記ステータス識別データ、前記出資情報及び前記複数の認証情報が記憶され、前記複数の認証情報は、複数の当選情報を含み、前記処理ユニットは、各前記ベンダー端末の前記出資情報に基づき、前記認証情報中の前記当選情報の比率を各前記ベンダー端末へ分配し、各前記認証情報は、物品に製作して被認証の認証情報が形成され、前記複数の消費者端末は、前記被認証の認証情報のうちの一つを前記ターミナルサービスプラットフォームへ送信すると、前記処理ユニットは、前記被認証の認証情報と、前記記憶ユニット中の前記認証情報とを比べ、対応した認証結果を前記記憶ユニットに記憶し、前記実行端末は、前記認証結果に基づいて前記消費者端末へフィードバックする。
【発明の効果】
【０００８】
本発明が有する長所は以下の通りである。
本発明において、各消費者が商品を購入した商店又は店舗へ出かけなくとも賞品と交換することができるため、非常に便利である上、各ベンダー端末も商店又は店舗へ人を派遣して賞品交換を手助けする必要がない。
本発明において、各ベンダー端末は、実行端末によりプログラムを直接実行することができるため、自ら印刷メーカーを探して印刷するなどのステップが必要なく、各ベンダー端末により人的コストを節約することができる上、抽選会にかかるコストを効果的に低減することができる。
本発明は、消費者端末の様々な好み又は必要に応じて特定のマーケティング情報を送信し、消費者端末の消費機会を増やしてマーケティング効果をさらに高めることができる。
本発明は、各ベンダー端末に便利な抽選プラットフォームをそれぞれ提供することができる上、多様な抽選方式及び効果的なマーケティング手段を提供し、抽選会を行うのに必要な労力、物力、時間、金銭などを節約し、より効果的で便利な抽選方式を達成する。
【図面の簡単な説明】
【０００９】
【図１】本発明の好適な実施例を示す図である。
【図２】本発明の好適な実施例の構造関係のブロック図である。
【発明を実施するための形態】
【００１０】
以下、実施例により本発明の実施可能な例を説明するが、本発明が保護する範囲を何ら制限するものではない。
【００１１】
図１〜図２に示すように、本発明が提供する懸賞を行うネットワークサービスシステム１は、複数のベンダー端末２、ターミナルサービスプラットフォーム３及び複数の消費者端末４を含む。
【００１２】
各ベンダー端末２は、ステータス識別データを有する。ターミナルサービスプラットフォーム３は、記憶ユニット３１、処理ユニット３２及び実行端末３３を含む。記憶ユニット３１、処理ユニット３２及び実行端末３３は互いに接続される。記憶ユニット３１には、各ベンダー端末２のステータス識別データが記憶される。各ベンダー端末２がステータス識別データ及びサービス要求をターミナルサービスプラットフォーム３へ送信すると、処理ユニット３２は、ステータス識別データに基づいてサービス要求及び複数の認証情報を記憶ユニット３１に記憶する。サービス要求、複数の認証情報及びステータス識別データは互いに対応する。さらに詳細には、ターミナルサービスプラットフォーム３は、バックインターフェース３４をさらに有する。本実施例中には、通信機器（例えば、コンピュータ、携帯電話又はタブレット型コンピュータ）がさらに含まれる。
各ベンダー端末２は、ネットワーク（有線又は無線）を介して通信機器によりバックインターフェース３４を見ると、バックインターフェース３４によりステータス識別データ及びサービス要求がターミナルサービスプラットフォーム３へ送信される。例えば、各ベンダー端末２は、通信機器を介してベンダー端末２に属するアカウントナンバー及びパスワードをターミナルサービスプラットフォーム３へ送信してバックインターフェース３４にログインし、各ベンダー端末２は、必要に応じて異なる内容のサービス要求をターミナルサービスプラットフォーム３へ送信する。サービス要求には、抽選会の名称、抽選に参加する人数情報、当選する人数情報及び提供する賞品情報が含まれる。言い換えると、各ベンダー端末２は、自らバックインターフェース３４を介して抽選会の名称、抽選に参加する人数情報、当選する人数情報、提供する賞品情報など関連したサービス要求をターミナルサービスプラットフォーム３へ送信する。
ターミナルサービスプラットフォーム３の処理ユニット３２は、各ベンダー端末２のステータス識別データに基づき、ベンダー端末２に対応したサービス要求と、対応した複数の認証情報と、を記憶ユニット３１に記憶する。
【００１３】
複数の認証情報には、少なくとも１つの当選情報が含まれ、好適には、複数の認証情報には、抽選の情報及び複数の当選情報が含まれ、各当選情報は、そのうちの一つの当選賞品情報が対応し、さらに詳細に述べると、複数の抽選の情報は自由な組合せ番号であるがこれだけに限定されるわけではなく、複数の抽選の情報は重複しない。
複数の抽選の情報中には、複数の当選情報に対応する情報を含み、勿論、その他可能な実施例中の複数の抽選の情報中には、複数の当選情報に対応した情報と、複数の落選の情報と、が含まれる。各認証情報は、物品に製作され、被認証の認証情報を形成し、好ましくは、被認証の認証情報が遮蔽されて選択的に露出され、一旦露出されると元々の遮蔽された状態に回復できない。例えば、被認証の認証情報は、選択的に掻き取る銀ペースト層で覆う。各消費者端末４は、銀ペースト層を掻き取って、被認証の認証情報を得る。
さらに詳細には、各消費者端末４は、販売者側を介し、ベンダー端末２が発売する商品のうちの一つを購入する。この商品には、被認証の認証情報が印刷され、被認証の認証情報が選択的に掻き取る銀ペースト層で覆われているため、被認証の認証情報が印刷された商品を消費者端末４が取得すると、各消費者端末４は、銀ペースト層を掻き取り、被認証の認証情報を得る。或いは、各消費者端末４は、ベンダー端末２のうちの一つが販売する商品を購入する際、販売者側は、被認証の認証情報が印刷されたラベルシールを消費者端末４に与え、消費者端末４は、ラベルシールの銀ペースト層を掻き取って被認証の認証情報を得ることができる。
各消費者端末４が被認証の認証情報をターミナルサービスプラットフォーム３へ送信すると、処理ユニット３２は、被認証の認証情報と、記憶ユニット３１中の認証情報とを比べ、対応した認証結果を記憶ユニット３１に記憶する。好適には、本実施例中のターミナルサービスプラットフォーム３は、受付インターフェース３５をさらに有し、通信モジュールをさらに含む。通信モジュールは、受付インターフェース３５を表示する。受付インターフェース３５は、各ベンダー端末２が行う抽選会の名称を表示する。各消費者端末４は、通信モジュールを介して受付インターフェース３５を見て、購入した商品が属するベンダー端末２が行っている抽選会の名称を取得する。
【００１４】
上述のように、各消費者端末４によりベンダー端末２のうちの一つの抽選会の名称を選択すると、入力インターフェース５と通信することができる。各消費者端末４は、入力インターフェース５を介して被認証の認証情報を送信することができる。各消費者端末４は、入力インターフェース５が被認証の認証情報をターミナルサービスプラットフォーム３へ送信すると、処理ユニット３２は、被認証の認証情報と、記憶ユニット３１中の認証情報の当選情報とを比べ、被認証の認証情報と当選情報とが一致する場合、処理ユニット３２は、認証結果が「既に当選した」と記録し、好適には、入力インターフェース５は、対応した当選賞品情報を表示して消費者端末４に知らせる。例えば、「既に当選し、当選賞品はコンピュータ１台である」などの当選メッセージをウィンドウ画面に表示し、このときに消費者端末４は、入力インターフェース５を介して消費者情報をターミナルサービスプラットフォーム３へ送信する。
消費者情報とは、消費者端末４の姓名、電話番号、住所又は電子メールその他類似の連絡方式を指す。処理ユニット３２は、消費者情報を記憶ユニット３１に記憶する。実行端末３３は、認証結果により消費者情報に基づいて消費者端末４へフィードバックする。このフィードバック手段は、当選賞品を郵送するなどの手段であるがこれだけに限定されるわけではない。さらに詳細には、各消費者の認証結果が「既に当選した」であるとき、実行端末３３は、消費者端末４が送信する消費者情報に基づき、消費者端末４が対応する当選額商品を消費者端末４へ郵送する。従って、各消費者は、商品を購入した商店又は店舗へ出かけなくとも賞品と交換することができるため、非常に便利である上、各ベンダー端末２も商店又は店舗へ人を派遣して賞品を交換する必要がない。
【００１５】
好適には、各ベンダー端末２は、ターミナルサービスプラットフォーム３を介し、記憶ユニット３１中に記憶し、対応した複数の認証情報を得て、各認証情報が物品の表面に印刷される。さらに詳細には、各ベンダー端末２は、バックインターフェース３４によりダウンロードして複数の認証情報を得る。例えば、各ベンダー端末２は、それに属するアカウント番号及びパスワードを入力してバックインターフェース３４にログインした後、ベンダー端末２に対応した複数の認証情報を自らダウンロードし、各認証情報が印刷機器により商品又はラベルシールに印刷される。しかしこれだけに限定されるわけではなく、その他可能な実施例において、実行端末３３は、記憶ユニット３１中の認証情報に基づいて各認証情報を物品の表面に印刷してもよい。例えば、各ベンダー端末２は、ターミナルサービスプラットフォーム３に許可を与える。
実行端末３３は、各ベンダー端末２のサービス要求に基づき、各認証情報を印刷機器を介して何れか一つの商品又はラベルシールに印刷する。従って、各ベンダー端末２は、実行端末３３を介してこのプログラムを直接実行することができるため、自ら印刷メーカを探して印刷するなどの手順を行う必要がなく、各ベンダー端末２は、人的コストを節約することができる上、抽選会にかかる費用を効果的に低減することができる。
【００１６】
ここで、本発明の他の実施例では、情報送信モジュール３６をさらに含んでもよい。情報送信モジュール３６は、記憶ユニット３１と接続されるが、ここで、情報送信モジュール３６はターミナルサービスプラットフォーム３の一部でもよいし、別途独立して記憶ユニット３１と接続されたモジュールでもよい。情報送信モジュール３６は、記憶ユニット３１の消費者情報に基づき、消費者端末４へマーケティング情報を送信する。情報送信モジュール３６は、記憶ユニット３１中の消費者情報に基づき、消費者端末４へマーケティング情報を送信する。さらに詳細には、マーケティング情報は、プロモーション又はバーゲンの広告メッセージでもよく、消費者端末４が景品に交換する際、消費者情報をターミナルサービスプラットフォーム３へ入力すると、消費者端末４の消費者情報（携帯電話、電子メール、住所など）が記憶ユニット３１に記憶される。
情報送信モジュール３６は、消費者情報に基づき、消費者端末４へマーケティング情報を送信する。例えば、商店が特価又は割引のプロモーションを行う場合、情報送信モジュール３６が消費者端末４の携帯電話へショートメッセージを送信し、店舗が行うプロモーションを消費者に知らせ、使用者が店舗に来て消費するように仕向けるが、勿論、電子メールを消費者端末４の電子メールアドレスへ送信するか、チラシを消費者端末４へ郵送して広告宣伝の目的を達成してもよい。好ましくは、処理ユニット３２が消費者情報を記憶ユニット３１へ記憶すると、記憶ユニット３１中の消費者情報と認証情報とが対応し、消費者端末４が過去に購入した商品の記録が記憶ユニット３１に記憶される。この商品又は同類の商品のプロモーションを行う場合、情報送信モジュール３６は、消費者情報に基づいてマーケティング情報を消費者端末４へ送信する。従って、情報送信モジュール３６は、消費者端末４の様々な好み又は必要に応じて特定のマーケティング情報を送信し、消費者端末４の消費機会を増やしてマーケティング効果をさらに高めてもよい。
【００１７】
他の実施例において、各ベンダー端末２は、ターミナルサービスプラットフォーム３と合同で抽選会を行ってもよい。各ベンダー端末２は、資金を提供し、各出資割合に基づいて出資情報を決定し、ターミナルサービスプラットフォーム３は、各ベンダー端末２の出資情報（出資割合）の分配と、出資割合に対応した当選情報とにより、消費者端末４は、各ベンダー端末２の抽選に参加できる他、ターミナルサービスプラットフォーム３が提供する連合抽選にも参加できる。さらに詳細には、ターミナルサービスプラットフォーム３は、特定期間に各ベンダー端末２と連合抽選を行ってもよい。各ベンダー端末２は資金を提供し、ターミナルサービスプラットフォーム３の各ベンダー端末２が提供する資金総額により、高価値で消費者端末４にとって魅力的な賞品を提供し、各ベンダー端末２が提供する資金比率に基づき、対応した認証情報と当選情報（例えば、出資が多めのベンダー端末２が占める全体の当選率は、出資が小さめのものより大きい）を記憶ユニット３１に記憶する。
消費者端末４が連合抽選会期間に販売者側で商品を購入すると、連合抽選の被認証情報を別途得ることができる。消費者端末４は、被認証情報に基づいてターミナルサービスプラットフォーム３から抽選会に参加する。消費者端末４は、被認証情報がターミナルサービスプラットフォーム３に入力される。処理ユニット３２は、被認証情報と、認証情報の当選情報とを比べ、もし被認証の認証情報と当選情報の認証結果とが一致する場合、消費者端末４は、消費者情報をターミナルサービスプラットフォーム３へ送信する。処理ユニット３２は、記憶ユニット３１に消費者情報を記憶する。実行端末３３は、認証結果に基づき、消費者情報により消費者端末４へフィードバックする。対照的に、出資割合は当選確率に比例し、当選率が高めのメーカーを消費者端末４が選択し易いようにし、当選確率を高めにし、ベンダー端末２の販売率をさらに高めることができる。
【００１８】
それによって、ターミナルサービスプラットフォームは、各ベンダー端末に１つの便利な抽選プラットフォームをそれぞれ提供することができる上、多様な抽選方式及び効果的なマーケティング手段を提供し、ベンダー端末は、抽選会を行うのに必要な労力、物力、時間、金銭などが節約でき、より効果的で便利な抽選方式を達成する。
【００１９】
以上を要約すると、本発明の全体構造設計、実用性及び効果が産業の発展の必要性に完全に合致し、開示する構造発明もかつてない全く新しい構造であるため、新規性を有する上、本発明は、従来の構造と比べて高機能で、創造性を有する。
【符号の説明】
【００２０】
１  懸賞を行うネットワークサービスシステム
２  ベンダー端末
３  ターミナルサービスプラットフォーム
３１  記憶ユニット
３２  処理ユニット
３３  実行端末
３４  バックインターフェース
３５  受付インターフェース
３６  情報送信モジュール
４  消費者端末
５  入力インターフェース
【図１】
2017504124.tif 000003
【図２】
2017504124.tif 000004
【国際調査報告】
2017504124.tif 000005
2017504124.tif 000006
2017504124.tif 000007
2017504124.tif 000008